(57)【要約】【課題】記録媒体の記録面にセキュリティ層を設ける場合に、そのために余分な転写工程を必要とせず、効率的にセキュリティ層を設けることができる熱転写インクリボンおよび間接熱転写記録方法を提供する。【解決手段】熱転写インクリボン１０であって、耐熱性の基材フィルム１１上に、それぞれ熱転写性の、複数のカラーインク層１２およびプライマ層１４が面順次に設けられ、プライマ層が２層（Ｐ１、Ｐ２）で構成され、２層の間にセキュリティ層（Ｓ）１４２が設けられている。【選択図】図１
2018176663.tif 000002
【特許請求の範囲】
【請求項１】
熱転写インクリボンであって、耐熱性の基材フィルム上に、それぞれ熱転写性の、複数のカラーインク層およびプライマ層が面順次に設けられ、前記プライマ層が２層で構成され、前記２層の間にセキュリティ層が設けられていることを特徴とする熱転写インクリボン。
【請求項２】
前記セキュリティ層が、細紋印刷層、蛍光インク印刷層、パールインク印刷層、赤外線吸収インク印刷層、赤外線反射インク印刷層、赤外線透過インク印刷層、カラーシフトインク印刷層のうちから選択されたものであることを特徴とする請求項１に記載の熱転写インクリボン。
【請求項３】
前記カラーインク層と前記プライマ層の間に、前記セキュリティ層と異なる種類の第二セキュリティ層が設けられていることを特徴とする請求項１または２に記載の熱転写インクリボン。
【請求項４】
前記第二セキュリティ層が、細紋印刷層、蛍光インク印刷層、パールインク印刷層、赤外線吸収インク印刷層、赤外線反射インク印刷層、赤外線透過インク印刷層、カラーシフトインク印刷層のうちから選択されたものであることを特徴とする請求項３に記載の熱転写インクリボン。
【請求項５】
前記プライマ層を構成する２層のうち、前記基材フィルム側と反対側の層のバインダ樹脂が、前記カラーインク層のバインダ樹脂と同一種類であることを特徴とする請求項１から４のいずれかに記載の熱転写インクリボン。
【請求項６】
熱転写インクリボンとサーマルヘッドを用いて中間転写フィルムに設けられた受像層に画像を形成し、形成された画像を記録媒体に熱圧転写することで記録媒体に画像を記録する間接熱転写記録方法であって、前記受像層に、請求項１から５のいずれかに記載の熱転写インクリボンから、記録する画像データに応じて前記カラーインク層が転写され、前記第二セキュリティ層が設けられている場合は同様に転写され、前記記録媒体に熱圧転写される領域全面に前記プライマ層が重ねて転写されることを特徴とする間接熱転写記録方法。
【発明の詳細な説明】
【技術分野】
【０００１】
本発明は、間接熱転写方式のプリンタに用いられる熱転写インクリボンに関し、より詳しくは、プリンタでの転写工程を増やすことなく、記録媒体にセキュリティパターンを追加できる熱転写インクリボンおよび間接熱転写記録方法に関する。
【背景技術】
【０００２】
従来からクレジットカード、ショップカード、会員証などで代表されるＩＤカードには、その所有者を特定するための氏名、会員番号、顔写真などの個人属性情報や、ショップカードであれば店名などの識別情報が記録されると共に、カードの偽造や改ざんを防ぐためのセキュリティ機能として、複雑な地紋、細紋やホログラム、特殊インクでの印刷などがカード表面全面あるいは部分領域にプリントされている。特に近年はカードの偽造・改ざんなどによる不正利用が増え社会的な問題ともなっていることから、カードの偽造・改ざんを防止するためのセキュリティ機能の強化が継続的な課題となっている。
【０００３】
こういったＩＤカードへの情報記録に従来用いられてきたオフセット印刷やスクリーン印刷のための装置は、大型で高価であり、少量の製造や個別情報の記録には適用が難しいことから、近年ではデジタルプリント方式によるプリンタが利用されるようになり、個別情報のカードへの記録が容易にできるようになってきた。各種のプリンタの中でも、シアン（Ｃ）、マゼンタ（Ｍ）、イエロー（Ｙ）、墨（Ｋ）のカラーインク層を設けた熱転写インクリボンからサーマルヘッドで所望の文字・画像イメージを記録媒体に転写記録する熱転写記録方式のプリンタは、簡単な機構で高い印画品質が得られることが知られている。
【０００４】
熱転写記録方式には、熱転写インクリボンから直接記録媒体に画像を転写記録する直接熱転写方式と、熱転写インクリボンから一旦中間転写フィルム上に画像を転写記録し、次いでヒートローラ等の加熱加圧手段で記録媒体上に画像を転写する間接熱転写方式のものがあり、いずれも印画品質も高く顔写真や文字情報が細部まで再現可能であることが知られている。また画像記録以外に、セキュリティ機能のための各種の機能層を付加した熱転写インクリボンを用いることで、記録媒体へのセキュリティパターンの付加も可能であるという特徴がある。また間接熱転写方式ではヒートローラを用いて転写を行うことから、記録媒体の形状や記録の形態に対して自由度が大きいという特徴がある。
【０００５】
例えば特許文献１には、被転写体に、基材上にイエロー、マゼンタ、シアン、黒色の着色剤層形成領域とセキュリティー層形成領域を設けた感熱転写リボンが開示され、前記セキュリティー層形成領域として金属色インク層、真珠顔料含有層、蛍光色インク層、赤外線吸収層その他が例示されている。また前記セキュリティー層形成領域を前記着色剤層形成領域に積層して設けた感熱転写リボンが例示されている。しかしながら、前記セキュリティー層形成領域には、例示された中から一つのセキュリティー層を設けることができるだけであり、セキュリティ性の強化のために複数のセキュリティー層を設けることはできないという問題点があった。また、前記セキュリティー層形成領域を前記着色剤層形成領域に積層して設ける場合、前記セキュリティー層は前記着色剤層と共に被転写体に転写されることから、前記セキュリティー層のうち前記着色剤層と共に被転写体に転写された一部のみしか利用されないという問題があった。
【０００６】
また、特許文献２には、第一の波長の励起光で励起される蛍光色料を含有する第一のインク層と、第二の波長の励起光で励起される蛍光色料を含有する第二のインク層が、支持体上に交互に設けられた熱転写インクリボンが開示され、第一のインク層と第二のインク
層で励起される波長が異なるため、記録媒体に転写されたとき、２種類の蛍光色料によるパターンが形成されていること自体が分かり難いため、偽造や改ざんを抑止する効果が高くセキュリティ性が高いとしている。しかしながら、第一のインク層と第二のインク層は支持体上に交互に設けられ、さらに目視情報を記録するための有色インク層や必要により接着層も同様に面順次に設けられ、これらの各層は面順次に記録媒体上に繰り返し重ねてサーマルヘッド等の記録ヘッドにより転写記録されるため、２種類のセキュリティ層が面順次に設けられると、転写されるインク層が増え、その分転写の工程が増えてしまうという問題点があった。
【先行技術文献】
【特許文献】
【０００７】
【特許文献１】特開２００４−５０７５４号公報
【特許文献１】特開２００５−７６９２号公報
【発明の概要】
【発明が解決しようとする課題】
【０００８】
本発明は、上記のような問題点を解決するためになされたもので、カードや冊子などの記録媒体の記録面にセキュリティ層を設ける場合に、そのために余分な転写工程を必要とせず、効率的にセキュリティ層を設けることができる熱転写インクリボンおよび間接熱転写記録方法を提供することを課題とする。
【課題を解決するための手段】
【０００９】
上記課題を解決するため、本発明の請求項１に係る発明は、
熱転写インクリボンであって、耐熱性の基材フィルム上に、それぞれ熱転写性の、複数のカラーインク層およびプライマ層が面順次に設けられ、前記プライマ層が２層で構成され、前記２層の間にセキュリティ層が設けられていることを特徴とする熱転写インクリボンである。
【００１０】
また請求項２に記載の発明は、
前記セキュリティ層が、細紋印刷層、蛍光インク印刷層、パールインク印刷層、赤外線吸収インク印刷層、赤外線反射インク印刷層、赤外線透過インク印刷層、カラーシフトインク印刷層のうちから選択されたものであることを特徴とする請求項１に記載の熱転写インクリボンである。
【００１１】
また請求項３に記載の発明は、
前記カラーインク層と前記プライマ層の間に、前記セキュリティ層と異なる種類の、第二セキュリティ層が設けられていることを特徴とする請求項１または２に記載の熱転写インクリボンである。
【００１２】
また請求項４に記載の発明は、
前記第二セキュリティ層が、細紋印刷層、蛍光インク印刷層、パールインク印刷層、赤外線吸収インク印刷層、赤外線反射インク印刷層、赤外線透過インク印刷層、カラーシフトインク印刷層のうちから選択されたものであることを特徴とする請求項３に記載の熱転写インクリボンである。
【００１３】
また請求項５に記載の発明は、
前記プライマ層を構成する２層のうち、前記基材フィルム側と反対側の層のバインダ樹脂が、前記カラーインク層のバインダ樹脂と同一種類であることを特徴とする請求項１から４のいずれかに記載の熱転写インクリボンである。
【００１４】
また請求項６に記載の発明は、
熱転写インクリボンとサーマルヘッドを用いて中間転写フィルムに設けられた受像層に画像を形成し、形成された画像を記録媒体に熱圧転写することで記録媒体に画像を記録する間接熱転写記録方法であって、前記受像層に、請求項１から５のいずれかに記載の熱転写インクリボンから、記録する画像データに応じて前記カラーインク層が転写され、前記第二セキュリティ層が設けられている場合は同様に転写され、前記記録媒体に熱圧転写される領域全面に前記プライマ層が重ねて転写されることを特徴とする間接熱転写記録方法である。
【発明の効果】
【００１５】
請求項１に記載の発明によれば、カラー画像を記録するための複数の、例えば三原色であるイエロー、マゼンタ、シアンと、墨の４色のカラーインク層により中間転写フィルムに画像を形成し、記録媒体との接着性を高めるためのプライマ層を記録媒体に転写される領域全面にわたって重ねて転写したとき、同時にセキュリティ層も転写でき、セキュリティ層が余分な工程なしに形成できる熱転写インクリボンが得られる。
【００１６】
また請求項２に記載の発明によれば、セキュリティ層を細紋印刷層、蛍光インク印刷層、パールインク印刷層、赤外線吸収インク印刷層、赤外線反射インク印刷層、赤外線透過インク印刷層、カラーシフトインク印刷層から選択した互いに異なるものとすることにより、他のインク層と同じ印刷方式によりセキュリティ層を印刷することができ、効率的にセキュリティ層を設けることができる。
【００１７】
請求項３に記載の発明によれば、カラーインク層の転写後にセキュリティ層と異なる種類の第二セキュリティ層を転写でき、２種類のセキュリティ層が形成できる熱転写インクリボンが得られる。
【００１８】
また請求項４に記載の発明によれば、第二セキュリティ層を、細紋印刷層、蛍光インク印刷層、パールインク印刷層、赤外線吸収インク印刷層、赤外線反射インク印刷層、赤外線透過インク印刷層、カラーシフトインク印刷層から選択されたものとすることにより、異なる２種類のセキュリティ層を他のインク層と同じ印刷方式により印刷することができ、効率的にセキュリティ層を設けることができる。
【００１９】
また請求項５の発明によれば、プライマ層をサーマルヘッドにより中間転写フィルムに転写する際、先に転写されているカラーインク層の部分と良好な接着力で接着して転写することができる。
【００２０】
また請求項６の発明によれば、
間接熱転写記録方法により画像を形成する際、カラーインク層、第二セキュリティ層、セキュリティ層が中間に設けられたプライマ層が面順次に設けられた熱転写インクリボンにより、記録する画像データに応じて前記カラーインク層、前記第二セキュリティ層を中間転写フィルムに順次重ねて転写し、記録媒体に転写される領域全面にわたってプライマ層を転写したとき、同時にセキュリティ層も転写でき、第二セキュリティ層と合わせて２種類のセキュリティ層が余分な工程なしに形成できる間接熱転写記録方法が得られる。
【図面の簡単な説明】
【００２１】
【図１】本発明の熱転写インクリボンの層構成を示す模式図である。
【図２】本発明の熱転写インクリボンの別の層構成を示す模式図である。
【図３】本発明の熱転写インクリボンのプライマ層の構成を説明する部分断面図である。
【図４】本発明の熱転写インクリボンを用いた間接転写記録装置の模式図である。
【図５】本発明の熱転写インクリボンで記録されたカードの断面模式図である。
【図６】本発明の熱転写インクリボンで画像が記録されたカードの平面図である。
【発明を実施するための形態】
【００２２】
以下、本発明の実施の一形態について詳細に説明する。なお本発明は以下の実施形態に限定して解釈されるものではない。
【００２３】
図１は、本発明の熱転写インクリボンの一実施形態の層構成を示す模式図である。本発明の熱転写インクリボン１０は間接熱転写記録方式に用いられる熱転写インクリボンであり、耐熱性の長尺の基材フィルム１１上に熱転写性のインク層を面順次に塗り分けて構成されており、ロール状に巻回されて使用される。熱転写性のカラーインク層１２は、カラー印刷のためのイエロー（Ｙ）１２１、マゼンタ（Ｍ）１２２、シアン（Ｃ）１２３の３原色と、主に文字情報などの印刷のための墨（Ｋ）１２４が順次設けられている。カラーインク層１２としてはこれ以外にも特定色のロゴやマークなどの印刷のための特色インク層を設けることもできる。
【００２４】
次いで、記録媒体に転写される領域全体を覆うように熱転写されるプライマ層１４が設けられている。プライマ層１４は中間転写フィルムに熱転写された画像が記録媒体の記録面に熱圧転写される際の接着性を向上するために設けられるのもので、図２に示すように、基材フィルム１１と反対側、すなわち中間転写フィルムに接着される側の上層（Ｐ２）１４１と、記録媒体に接着される側の下層（Ｐ１）１４３の２層からなり、間にセキュリティ層（Ｓ）１４２が設けられている。上層１４１のバインダ樹脂は、カラーインク層１２のバインダ樹脂と同一種類のものとすると、中間転写フィルムに熱転写される際に先に熱転写されているカラーインク層１２との接着性が向上するため好ましい。
【００２５】
セキュリティ層１４２は、記録媒体にセキュリティ性を付与するために設けられるもので、細紋印刷層、紫外線を照射すると蛍光を発する蛍光インク印刷層、真珠様光沢を呈するパールインク印刷層、赤外線を吸収する赤外線吸収インク印刷層、赤外線を反射する赤外線反射インク印刷層、赤外線を透過する赤外線透過インク印刷層、角度を変えると色が変化して見えるカラーシフトインク印刷層から適宜選択して設ける。このときセキュリティ層１４２はプライマ層１４の熱転写と同時に転写されるため、セキュリティ層１４２を熱転写するために別途工程を追加する必要がなく、効率的である。
【００２６】
なお上記の各層は、基材フィルム１１上に所定の記録媒体の記録面を覆う大きさで設けられ、公知の印刷技術、例えばグラビア印刷、グラビアオフセット印刷、バーコート印刷、ホットメルト印刷などにより設けることができる。
【００２７】
図２は、カラーインク層１２に続いて、熱転写性の第二セキュリティ層（Ｓ２）１３が設けられた例である。第二セキュリティ層１３は、カラーインク層１２が中間転写媒体上に熱転写されて画像記録が行われた部位に重ねて熱転写される。記録媒体にセキュリティ性を付与するための第二セキュリティ層１３は、例えば細紋印刷層、蛍光インク印刷層、パールインク印刷層、赤外線吸収インク印刷層、赤外線反射インク印刷層、赤外線透過インク印刷層、カラーシフトインク印刷層から、セキュリティ層１４２と異なる種類のものとなる様に選択される。このようにすることで、本発明の熱転写インクリボン１０で異なる２種類のセキュリティ性を記録媒体に付与できるようにすることもできる。第二セキュリティ層１３も、基材フィルム１１上に所定の記録媒体の記録面を覆う大きさで設けられ、公知の印刷技術、例えばグラビア印刷、グラビアオフセット印刷、バーコート印刷、ホットメルト印刷などにより設けることができる。
【００２８】
以下、各層について説明する。
【００２９】
＜基材フィルム＞
基材フィルム１１は、公知の耐熱性のプラスチックフィルムを好適に用いることができ、ポリエチレンテレフタレート、ポリエチレンナフタレート、ポリプロピレン、ポリスチレン、ポリカーボネート、ナイロン、ポリイミド、ポリ塩化ビニリデン、セロファンなどのプラスチックフィルムを例示することができ、特に好ましいのはポリエチレンテレフタレートである。厚みは２〜５０μｍ、より好ましくは２〜１６μｍである。
【００３０】
＜カラーインク層＞
カラーインク層１２は、溶融熱転写型インクで設けられる墨１２４のインクを除き、溶融熱転写型インク、昇華熱転写型インクのどちらでも用いることができ、溶融熱転写型インクであれば、各色の顔料と、バインダ樹脂、ワックス類、分散剤などの添加剤等、公知の材料を組み合わせて調製することができる。顔料の例としては、フタルイミド系イエロー、ベンズイミダゾロンオレンジ、スルホアミドイエロー、ベンズイミダゾロンイエロー等のアゾ顔料、フタロシアニン顔料、ジケトピロロピロール、キノフタロン、イソインドリノン、ジアミノジアントラキノン等が挙げられる。バインダ樹脂としては、エチレン−酢酸ビニル共重合体、ポリアミド樹脂、ロジン系誘導体、アクリル樹脂、エポキシ樹脂等が例示できる。また、ワックス類としては、パラフィンワックス、マイクロクリスタリンワックス、カルナバワックス、モンタンワックス、ポリエチレンワックス、エステルワックス、酸化ワックス等が用いられる。
墨１２４は、顔料として黒色顔料であるカーボンブラックその他、公知の黒色顔料を用いることで、好適に調製できる。
【００３１】
昇華熱転写インクであれば、各色の昇華性染料をバインダ樹脂に担持させた態様で、公知の材料を組み合わせて調製できる。染料としては従来公知のものを用いることができ、具体的には、イエローとしては、カヤセットイエローＡＧ、カヤセットイエローＴＤＮ、ＰＹＴ５２、プラストイエロー８０４０、ホロンブリリアントイエローＳ６ＧＬＰＩ等が挙げられる。マゼンタとしては、カヤセットレッドＢ、カヤセットレッド１３セレスレッド７Ｂ、マクロレックスレッドバイオレットＲ等を挙げられる。シアンとしては、カヤセットブルー７１４、セレスブルーＧＮ、ＭＳブルー５０等が挙げられる。バインダ樹脂としてはポリビニルアセタール樹脂、ポリビニルブチラール樹脂、ポリエステル樹脂、フェノキシ樹脂、スチレン−アクリルニトリル共重合樹脂、エチルセルロース、ヒドロキシエチルセルロース、ポリカーボネート等の耐熱性、染料移行性等に優れた樹脂が使用できる。なお昇華熱転写型インクを用いる場合は、中間転写フィルムの受像層を昇華性染料が染着する樹脂、例えばブチラール樹脂、ポリエチレン、ポリウレタン、ポリプロピレン、ポリ塩化ビニル、ポリブタジエン、ポリ酢酸ビニル、塩化ビニル−酢酸ビニル共重合体、エチレン−酢酸ビニル共重合体、またはこれらをブレンドしたものなどとする。
【００３２】
＜プライマ層＞
プライマ層１４の上層１４１、下層１４３は、公知の熱可塑性樹脂を主体に構成され、ポリエステル樹脂、ポリエチレン樹脂、ポリプロピレン樹脂、アクリル系樹脂、ポリウレタン系樹脂、ビニル系樹脂などを例示でき、これらから適宜選択して組み合わせて構成することができる。なお上層１４１のバインダ樹脂は、カラーインク層１２のバインダ樹脂と同一種類のものを選択するとカラーインク層１２との接着性に優れるため好適である。
【００３３】
上層１４１、下層１４３の間に設けられるセキュリティ層１４２は、バインダ樹脂に公知の各種機能性の顔料等を分散または溶解させて調整することができる。バインダ樹脂としては、熱硬化性アクリル樹脂、熱可塑性アクリル樹脂、ポリエチレンテレフタレート、ポリプロピレン、ポリエチレン、ポリ塩化ビニル、ポリイミド、不飽和ポリエステル、ポリカーボネート、ポリメタクリル酸メチルなどの合成樹脂、ポリメタクリル酸エステル、尿素・ホルマリン樹脂、塩化ビニル／酢酸ビニル共重合体、アルキッド樹脂などを例示できる。
【００３４】
セキュリティ層１４２を細紋印刷層とする場合は、グラビア印刷インクなどの公知の印刷インクで細紋を印刷して設けることができる。蛍光インク印刷層とする場合の蛍光剤は、硫化亜鉛やアルカリ土類金属の硫化物の高純度蛍光体が例示され、これに発光をより強くするために微量の金属（銅、銀、マンガン、ビスマス、鉛など）を付活剤として加えた後に高温焼成することにより得ることができる。パールインク印刷層とする場合のパール顔料としては、合成アルミナ、雲母等を例示できる。赤外線吸収インク印刷層とする場合の赤外線吸収剤としては、ポリメチレン系、アズレニウム系、スクワリリウム系、チオビリリウム系、アントラキノン系等の有機化合物、フタロシアニン系、アゾ系、チオアミド系等の有機金属錯体などを例示できる。赤外線反射インク印刷層とする場合の赤外反射剤としては、フタロシアニン系、アゾ系、アゾメチン系、アンスラキノン系、ペリノン・ペリレン系、インジゴ・チオインジゴ系、ジオキサンジン系、キナクリドン系、イソインドリノン系等の有機顔料および染料が例示でき、無機顔料としては、酸化チタン系、酸化鉄系、焼成顔料系、金属粉顔料、体質顔料等の白色または有彩色の顔料を例示できる。上記色素や顔料は単独で、または２種以上を組み合わせて用いることができる。赤外線透過インク印刷層とする場合は、オラゾールブラックやオラゾール２ＲＧ等の赤外線透過性の染料を含む塗料などが例示できる。カラーシフトインク印刷層とする場合は、レリーフ型や体積型のホログラム、複数種類の回折格子が画素として配置されたグレーティングイメージやピクセルグラム等の回折格子画像、カラーシフトを生じるセラミクスや金属材料の薄膜積層体等の公知の構成から適宜選択できる。
【００３５】
＜第二セキュリティ層＞
第二セキュリティ層１３の構成は、セキュリティ層１４２で例示したものからセキュリティ層１４２と異なる種類のものを選択すれば良い。
【００３６】
上記の様な本発明の熱転写インクリボンを用いた間接熱転写記録は、例えば図４に模式的に示したような装置により行うことができる。
ロール状に巻回された熱転写インクリボン１０と中間転写フィルム２０は、それぞれ巻き出しロールから引き出され、走行経路途中にサーマルヘッド１とそれに対向するプラテンローラ２の間に挟持されて向かい合う。このとき熱転写インクリボン１０のインク層側と中間転写フィルム２０の受像層側が対向するようにする。サーマルヘッド１を通過した熱転写インクリボン１０は巻き取りロールに巻き取られる。一方中間転写フィルム２０はサーマルヘッド１を通過した後段で所定の位置にセットされた記録媒体３０とヒートローラ３の間を通過し、巻き取りロールに巻き取られる。記録媒体３０はヒートローラ３の回転と中間転写フィルム２０の搬送に合わせて矢印Ｘの方向に移動可能となっている。
【００３７】
本発明の熱転写インクリボンの、図２に例示した態様のものを用いて間接熱転写記録方式で記録媒体に熱転写を行う場合の手順の例を以下に示す。
熱転写インクリボン１０と中間転写フィルム２０をサーマルヘッド１とプラテンローラ２で加圧挟持し、熱転写インクリボン１０に設けられた各色の熱転写インク層から所望の画像データに応じてサーマルヘッド１の発熱素子を発熱させ中間転写フィルム２０に熱転写インクを熱転写する。このとき、各色の熱転写インクの熱転写は面順次に行われ、例えばイエロー１２１の記録が一記録面分終了したら、中間転写フィルム２０は初期位置まで巻き戻され、次の色であるマゼンタ１２２の熱転写を重ねて行う。同様にシアン１２３、墨１２４の熱転写を行い、さらに第二セキュリティ層１３を重ねて熱転写を行う。続いてプライマ層１４を記録媒体３０の記録面の面積に合わせて全面に重ねて熱転写し、中間転写フィルム２０への熱転写が終了する。プライマ層１４の熱転写が行われたときに同時にセキュリティ層１４２の転写も行われている。
【００３８】
次いで、中間転写フィルム２０から記録媒体３０へ熱圧転写する転写開始位置をヒート
ローラ３の部位まで搬送する。記録媒体３０と位置合わせのうえ、ヒートローラ３を記録媒体３０に圧接すると共に回転させ、合わせて中間転写フィルム２０と記録媒体３０を搬送して中間転写フィルム２０に熱転写された画像等を中間転写フィルム２０の受像層と共に記録媒体３０に熱圧転写する。以上のようにして記録媒体３０への間接熱転写記録が行われる。
【００３９】
図５は、上記のように間接熱転写記録が行われた記録媒体３０であるＩＤカード３０の断面模式図である。ＩＤカード３０の上層に、中間転写フィルム２０から熱圧転写された各層が積層されている。下層１４３、セキュリティ層１４２、上層１４１の３層で構成されるプライマ層１４の上層に、カラーインク層１２から転写されたカラーインク画像２２と、第二セキュリティ層１３から転写された第二セキュリティ画像２３が積層された態様となっている。さらに上層から全体を覆うように中間転写フィルム２０の受像層２１が転写され、保護層として機能している。
【００４０】
図６は、上記のように間接熱転写記録が行われたＩＤカード３０の一例を平面視したものである。カラーインク層１２により形成されたカラーインク画像２２である花２２と、第二セキュリティ層１３から転写された第二セキュリティ画像２３である蛍光インク画像２３が設けられ、それらの下層にセキュリティ層１４２として設けられたパール印刷層１４２が見える態様となっている。
【００４１】
以上説明したように、本発明の熱転写インクリボンによれば、記録媒体に画像を記録する際に、画像と共にセキュリティ層を余分な工程なしに形成できる熱転写インクリボンおよび熱転写記録方法を提供できる。
【符号の説明】
【００４２】
１・・・サーマルヘッド
２・・・プラテンローラ
３・・・ヒートローラ
１０・・・熱転写インクリボン
１１・・・基材フィルム
１２・・・カラーインク層
１２１・・・イエロー（Ｙ）
１２２・・・マゼンタ（Ｍ）
１２３・・・シアン（Ｃ）
１２４・・・墨（Ｋ）
１３・・・第二セキュリティ層（Ｓ２）
１４・・・プライマ層
１４１・・・上層
１４２・・・セキュリティ層（Ｓ）、パール印刷層
１４３・・・下層
２０・・・中間転写フィルム
２１・・・受像層
２２・・・カラーインク画像
２３・・・第二セキュリティ画像
３０・・・記録媒体（ＩＤカード）
【図１】
2018176663.tif 000003
【図２】
2018176663.tif 000004
【図３】
2018176663.tif 000005
【図４】
2018176663.tif 000006
【図５】
2018176663.tif 000007
【図６】
2018176663.tif 000008